(57)【要約】【課題】個人認証が不十分なために、大使館等で発行された外国旅行者向けの入国許可査証が別人によって使用されて許可されない者の不正な入国が行われたり、入国審査で本来パスしてはいけない者が、例えば強制送還された者が、別人のパスポートで入国したり、運転免許証の二重発行が行われたり、盗難したクレジットカードが利用される等の問題が発生している。【解決手段】本発明は個人のバイオメトリクス情報（指紋、掌紋、顔、虹彩、声紋、サイン）を認証データとして使用したバイオメトリクス認証サーバ１０は、個人認証サービスを提供する認証サーバである。図１において、認証要求者は。各種ユーザー端末を用いてバイオメトリクス認証サーバ１０に対し認証要求を行う、バイオメトリクス認証サーバ１０は認証要求を専用線やインターネットを経由して受け、認証結果を認証要求元に回答する。【選択図】　　　図１
2004030334.tif 000002
【特許請求の範囲】
【請求項１】
大使館における査証の発行申請の受付と交付を行う査証申請端末と、大使館本国の査証発行部署にある査証発行端末と、渡航者のバイオメトリクス情報を査証申請管理データベースとして有しバイオメトリクス情報の照合による認証処理を行うバイオメトリクス認証サーバと、前記査証申請端末と前記査証発行端末と前記バイオメトリクス認証サーバとを通信で接続するネットワークと、を備えたバイオメトリクス認証システムにおけるバイオメトリクス認証サービス方法であって、
前記査証申請端末は、渡航者の名前、生年月日を含む査証申請情報と前記査証申請端末で採取した渡航者の前記バイオメトリクス情報とからなる認証用データを作成し、前記認証用データの控えを印刷して渡航者に発行するとともに、前記認証用データを前記査証発行端末に送信する第１のステップと、
前記査証発行端末は、前記認証用データを受信すると、それを前記バイオメトリクス認証サーバに送信して渡航者の認証を依頼する第２のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合するとともに、犯罪者や要注意人物の認証用データからなるブラックリストデータベースのバイオメトリクス情報すべてとも照合を行い、照合の認証結果を前記査証発行端末に送信する第３のステップと、
前記査証発行端末は、前記認証結果を踏まえて査証の発行の可否判断を行い、可否結果と発行した査証とを前記査証申請端末に送信する第４のステップと、
前記査証発行端末は、査証の発行を行った場合に前記査証申請管理データベースに渡航者のバイオメトリクス情報が未登録であると、前記バイオメトリクス認証サーバに前記認証データの登録を要求する第５のステップと、
前記バイオメトリクス認証サーバは、前記査証発行端末からの前記認証データの登録の要求を受けると、前記認証データを前記査証申請管理データベースに登録する第６のステップと、
前記査証申請端末は、前記査証発行端末からの査証の発行の可否結果と発行時の査証を受信すると、渡航者の査証受け取り時に受取人から採取したバイオメトリクス情報から前記認証用データ作成して前記バイオメトリクス認証サーバに送信し認証を依頼する第７のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合し一致不一致の認証結果を前記査証申請端末に送信する第８のステップと、
前記査証申請端末は、前記第８のステップにおける前記バイオメトリクス認証サーバの認証結果を受信すると、認証結果が一致した場合に査証を受取人に発行する第９のステップと、
を備えることを特徴とするバイオメトリクス認証サービス方法。
【請求項２】
入国管理部署にあって渡航者の入国審査を行う入国審査端末と、渡航者のバイオメトリクス情報を査証申請管理データベースに有しバイオメトリクス情報の照合による認証処理を行うバイオメトリクス認証サーバと、前記入国審査端末と前記バイオメトリクス認証サーバとを通信で接続するネットワークと、を備えたバイオメトリクス認証システムにおけるバイオメトリクス認証サービス方法であって、
前記入国審査端末は、渡航者のパスポートと査証から渡航者の名前を含む渡航者の識別情報を取り出すとともに、渡航者の指紋情報を含むバイオメトリクス情報を採取して渡航者の識別情報とバイオメトリクス情報とから認証用データを生成し、生成した認証用データを前記バイオメトリクス認証サーバに送信する第１のステップと、
前記バイオメトリクス認証サーバは、前記認証用データを受信すると前記認証用データから前記認証用データの一部を使用したキーを作成し、前記査証申請管理データベースをこのキーによって検索し該当するバイオメトリクス情報を取り出し、前記認証用データのバイオメトリクス情報と照合を行い、一致不一致の認証結果を前記入国審査端末に送信する第２のステップと、
前記入国審査端末は、前記バイオメトリクス認証サーバの認証結果から渡航者の入国の可否を判断する第３のステップと、
を備えることを特徴とするバイオメトリクス認証サービス方法。
【請求項３】
大使館における査証の発行申請の受付と交付を渡航者に行う査証申請端末と、大使館本国の査証発行部署にある査証発行端末と、大使館本国の入国管理部署にあって前記渡航者の入国審査を行う入国審査端末と、前記渡航者のバイオメトリクス情報を査証申請管理データベースに有しバイオメトリクス情報の照合による認証処理を行うバイオメトリクス認証サーバと、前記査証申請端末と前記査証発行端末と前記入国審査端末と前記バイオメトリクス認証サーバとを通信で接続するネットワークと、を備えたバイオメトリクス認証システムにおけるバイオメトリクス認証サービス方法であって、
前記査証申請端末は、前記渡航者の名前、生年月日を含む査証申請情報と前記査証申請端末で採取した前記渡航者の前記バイオメトリクス情報とからなる認証用データを作成し、前記認証用データの控えを印刷して前記渡航者に発行するとともに、前記認証用データを前記査証発行端末に送信する第１のステップと、
前記査証発行端末は、前記認証用データを受信すると、それを前記バイオメトリクス認証サーバに送信して前記渡航者の認証を依頼する第２のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合するとともに、犯罪者や要注意人物の認証用データからなるブラックリストデータベースのバイオメトリクス情報すべてとも照合を行い、照合の結果一致したバイオメトリクス情報を含む認証結果を前記査証発行端末に送信する第３のステップと、
前記査証発行端末は、前記認証結果を踏まえて査証の発行の可否判断を行い、可否結果と発行した査証とを前記査証申請端末に送信する第４のステップと、
前記査証発行端末は、査証の発行を行った場合に前記査証申請管理データベースに前記渡航者のバイオメトリクス情報が未登録であると、前記バイオメトリクス認証サーバに前記認証データの登録を要求する第５のステップと、
前記バイオメトリクス認証サーバは、前記査証発行端末からの前記認証データの登録の要求を受けると、前記認証データを前記査証申請管理データベースに登録する第６のステップと、
前記査証申請端末は、前記査証発行端末からの査証の発行の可否結果と査証を受信すると、前記渡航者の査証受け取り時に受取人から採取したバイオメトリクス情報から前記認証用データ作成して前記バイオメトリクス認証サーバに送信し認証を依頼する第７のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合し一致不一致の認証結果を前記査証申請端末に送信する第８のステップと、
前記査証申請端末は、前記バイオメトリクス認証サーバの認証結果を受信すると、認証結果が一致した場合に査証を前記受取人に発行する第９のステップと、
前記入国審査端末は、前記渡航者のパスポートと査証から前記渡航者の名前を含む前記渡航者の識別情報を取り出すとともに、前記渡航者のバイオメトリクス情報を採取して前記渡航者の識別情報とバイオメトリクス情報とから前記認証用データを生成し、生成した前記認証用データを前記バイオメトリクス認証サーバに送信する第１０のステップと、
前記バイオメトリクス認証サーバは、前記認証用データを受信すると前記認証用データから前記認証用データの一部を使用したキーを作成し、前記査証申請管理データベースをこのキーによって検索し該当するバイオメトリクス情報を取り出し、前記認証用データのバイオメトリクス情報と照合を行い、一致不一致の認証結果を前記入国審査端末に送信する第１１のステップと、
前記入国審査端末は、前記バイオメトリクス認証サーバの前記認証結果から渡航者の入国の可否を判断する第１２のステップと、
を備えることを特徴とするバイオメトリクス認証サービス方法。
【請求項４】
警察署にあって犯罪者、要注意人物のバイオメトリクス情報を犯罪者データベースとして有する警察署コンピュータと、渡航者のバイオメトリクス情報を査証申請管理データベースとして有しバイオメトリクス情報の照合による認証処理を行うバイオメトリクス認証サーバと、前記警察署コンピュータと前記バイオメトリクス認証サーバとを通信で接続するネットワークと、を備えたバイオメトリクス認証システムにおけるバイオメトリクス認証サービス方法であって、
前記警察署コンピュータは、前記犯罪者データベースにおいて犯罪者の登録や更新や削除が行われると、前記ネットワークを介して逐次更新された犯罪者のバイオメトリクス情報を含む犯罪者情報を前記バイオメトリクス認証サーバに送信するステップと、
前記バイオメトリクス認証サーバでは、それを受信すると前記ブラックリストデータベースに追加や削除によって反映するステップと、
を含むことを特徴とする請求項１ないし３のいずれか１項に記載のバイオメトリクス認証サービス方法。
【請求項５】
地方自治体にあって名前、生年月日、性別を含む住民情報を住民情報データベースとして有する自治体コンピュータと、前記渡航者のバイオメトリクス情報を前記査証申請管理データベースとして有しバイオメトリクス情報の照合による認証処理を行う前記バイオメトリクス認証サーバと、前記自治体コンピュータと前記バイオメトリクス認証サーバとを通信で接続するネットワークと、を備えたバイオメトリクス認証システムにおけるバイオメトリクス認証サービス方法であって、
バイオメトリクス認証サーバは、前記認証用データ中の渡航者の名前や住所を含む情報を前記ネットワークを介して前記自治体コンピュータに送信して渡航者の在不在確認を要求するステップと、
前記自治体コンピュータは前記在不在確認要求を受信すると、前記住民情報データベースを検索して渡航者の在不在を確認し前記バイオメトリクス認証サーバに通知するステップと、
前記自治体コンピュータは、前記渡航者の前記住民情報データベースの登録の確認ができた場合、前記渡航者の死亡、転居、転出が生ずると、逐次その内容を前記バイオメトリクス認証サーバに通知するステップと、
バイオメトリクス認証サーバはその通知内容を前記査証申請管理データベースに反映するステップと、
を含むことを特徴とする請求項１ないし３のいずれか１項に記載のバイオメトリクス認証サービス方法。
【請求項６】
バイオメトリクス認証システムにおけるバイオメトリクス認証サービス方法であって、
複数種類のバイオメトリクス情報を採取して前記認証用データに載せ、前記バイオメトリクス認証サーバに送信するステップと、
前記バイオメトリクス認証サーバは、前記認証用データに含まれるバイオメトリクス種別に対応して用意された全ての前記査証申請管理データベースとの照合を行うステップと、
を含むことを特徴とする請求項１ないし３のいずれか１項に記載のバイオメトリクス認証サービス方法。
【請求項７】
前記バイオメトリクス情報は、指紋、掌紋、顔画像、虹彩、声紋、サインを含むことを特徴とする請求項１ないし５のいずれか１項記載のバイオメトリクス認証サービス方法。
【請求項８】
指紋の入力のためのユーザインターフェース部を有する自動販売機の自動販売機端末と、自動販売機で商品を購入する消費者の指紋情報を予め登録した指紋データベースを備えたバイオメトリクス認証サーバと、前記決済コンピュータと前記自動販売機端末と前記バイオメトリクス認証サーバとを通信で接続するネットワークと、を備えたバイオメトリクス認証システムにおけるバイオメトリクス認証サービス方法であって、
前記自動販売機端末は、消費者が入力したクレジットカードＩＤと指紋情報とから認証用データを生成し前記決済コンピュータに前記ネットワークによって送信する第１のステップと、
前記決済コンピュータは、受信した前記認証用データを前記バイオメトリクス認証局に送信する第２のステップと、
前記バイオメトリクス認証サーバは、前記認証データのクレジットカードＩＤをキーとして前記指紋データベースを検索し、検索した指紋情報と前記認証データの指紋情報の照合を行い、一致不一致の認証結果を前記決済コンピュータに送信する第３のステップと、
前記決済コンピュータは、前記認証結果をもとに、消費者の購入操作の可否を前記自動販売機端末に送信する第４のステップと、
前記自動販売機端末は、購入操作の可否情報に従って消費者による購入操作を制御し、購入可の場合には、消費者の選択した購入対象の商品情報を前記決済コンピュータに送信する第５のステップと、
前記決済コンピュータは、消費者の選択した商品の決済処理を行う第６のステップと、
を備えることを特徴とするバイオメトリクス認証サービス方法。
【請求項９】
前記バイオメトリクス認証サーバは、クレジットカードＩＤをキーとして前記指紋データベースの指紋情報を検索するステップを、
備えることを特徴とする請求項８記載のバイオメトリクス認証サービス方法。
【請求項１０】
大使館における査証の発行申請の受付と交付を行い渡航者の名前、生年月日を含む査証申請情報と採取した渡航者のバイオメトリクス情報とからなる認証用データを作成し査証発行部署に送信する査証申請端末と、
大使館本国の査証発行部署にあって前記査証申請端末から前記認証用データを受信すると、それをバイオメトリクス情報による認証を行うバイオメトリクス認証局に送信して渡航者の認証を依頼し依頼した認証の結果に従って査証の発行可否を決定して前記査証申請端末に通知する査証発行端末と、
バイオメトリクス認証局にあって渡航者のバイオメトリクス情報を査証申請管理データベースとして有し前記査証発行端末から前記認証用データを受信すると、
前記認証用データの一部を使用したキーによって前記査証申請管理データベースを検索し前記認証用データのバイオメトリクス情報と照合するとともに、犯罪者や要注意人物の認証用データからなるブラックリストデータベースのバイオメトリクス情報すべてとも照合を行い、照合の認証結果を前記査証発行端末に送信するバイオメトリクス認証サーバと、
前記査証申請端末と前記査証発行端末と前記バイオメトリクス認証サーバとを通信で接続するネットワークと、
を備えることを特徴とするバイオメトリクス認証システム。
【請求項１１】
前記査証発行端末は、査証の発行を行った場合に前記査証申請管理データベースに渡航者のバイオメトリクス情報が未登録であると、前記バイオメトリクス認証サーバに前記認証データの登録を要求し、
前記バイオメトリクス認証サーバは、前記査証発行端末からの前記認証データの登録の要求を受けると、前記認証データを前記査証申請管理データベースに登録することを特徴とする請求項１０記載のバイオメトリクス認証システム。
【請求項１２】
前記査証申請端末は、前記査証発行端末からの査証の発行の可否結果と査証を受信すると、前記渡航者の査証受け取り時に受取人から採取したバイオメトリクス情報から前記認証用データ作成して前記バイオメトリクス認証サーバに送信して認証を依頼し、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合し一致不一致の認証結果を前記査証申請端末に送信するとともに、
前記査証申請端末は、前記バイオメトリクス認証サーバの認証結果を受信すると、認証結果が一致した場合に査証を前記受取人に発行することを特徴とする請求項１０記載のバイオメトリクス認証システム。
【請求項１３】
大使館における査証の発行申請の受付と交付を行う査証申請端末と、大使館本国の査証発行部署にある査証発行端末と、渡航者のバイオメトリクス情報を査証申請管理データベースとして有しバイオメトリクス情報の照合による認証処理を行うバイオメトリクス認証サーバと、前記査証申請端末と前記査証発行端末と前記バイオメトリクス認証サーバとを通信で接続するネットワークと、を備えたバイオメトリクス認証システムを構成するコンピュータに実行させるプログラムであって、
前記査証申請端末は、渡航者の名前、生年月日を含む査証申請情報と前記査証申請端末で採取した渡航者の前記バイオメトリクス情報とからなる認証用データを作成し、前記認証用データの控えを印刷して渡航者に発行するとともに、前記認証用データを前記査証発行端末に送信する第１のステップと、
前記査証発行端末は、前記認証用データを受信すると、それを前記バイオメトリクス認証サーバに送信して渡航者の認証を依頼する第２のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合するとともに、犯罪者や要注意人物の認証用データからなるブラックリストデータベースのバイオメトリクス情報すべてとも照合を行い、照合の認証結果を前記査証発行端末に送信する第３のステップと、
前記査証発行端末は、前記認証結果を踏まえて査証の発行の可否判断を行い、可否結果と発行した査証とを前記査証申請端末に送信する第４のステップと、
前記査証発行端末は、査証の発行を行った場合に前記査証申請管理データベースに渡航者のバイオメトリクス情報が未登録であると、前記バイオメトリクス認証サーバに前記認証データの登録を要求する第５のステップと、
前記バイオメトリクス認証サーバは、前記査証発行端末からの前記認証データの登録の要求を受けると、前記認証データを前記査証申請管理データベースに登録する第６のステップと、
前記査証申請端末は、前記査証発行端末からの査証の発行の可否結果と発行時の査証を受信すると、渡航者の査証受け取り時に受取人から採取したバイオメトリクス情報から前記認証用データ作成して前記バイオメトリクス認証サーバに送信し認証を依頼する第７のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合し一致不一致の認証結果を前記査証申請端末に送信する第８のステップと、
前記査証申請端末は、前記第８のステップにおける前記バイオメトリクス認証サーバの認証結果を受信すると、認証結果が一致した場合に査証を受取人に発行する第９のステップと、
を備えることを特徴とするバイオメトリクス認証プログラム。
【発明の詳細な説明】
【０００１】
【発明の属する技術分野】
本発明は、指紋等の個人のバイオメトリクス情報をデータベース上に一括管理し個人の認証を行う認証サーバに、インターネット等の通信ネットワークを利用してアクセスして認証を受けることにより、査証の発行処理や入国審査の手続きや自動販売機による商品のクレジット販売を行う局面でのバイオメトリクス認証サービス方法、システム及びプログラムに関する。
【０００２】
【従来の技術】
個人認証が不十分なために、大使館等で発行された査証が別人によって使用され、許可されない者の不正な入国が行われたり、入国審査で本来パスされてはいけない者が、例えば強制送還されたような人が別人のパスポートで入国したり、運転免許証の二重発行が行われたり、盗難したクレジットカードが不正に利用される等の問題が発生している。
【０００３】
【発明が解決しようとする課題】
本発明は、バイオメトリクス情報（指紋、掌紋、顔画像等）を利用した個人認証サービスを実現することにより、従来の個人認証の精度を高め前述した問題を解決するバイオメトリクス認証サービス方法、システム及びプログラムを提供するものである。
【０００４】
【課題を解決するための手段】
本発明の第１のバイオメトリクス認証サービス方法は、大使館における査証の発行申請の受付と交付を行う査証申請端末と、大使館本国の査証発行部署にある査証発行端末と、渡航者のバイオメトリクス情報を査証申請管理データベースとして有しバイオメトリクス情報の照合による認証処理を行うバイオメトリクス認証サーバと、前記査証申請端末と前記査証発行端末と前記バイオメトリクス認証サーバとを通信で接続するネットワークと、を備えたバイオメトリクス認証システムにおけるバイオメトリクス認証サービス方法であって、
前記査証申請端末は、渡航者の名前、生年月日を含む査証申請情報と前記査証申請端末で採取した渡航者の前記バイオメトリクス情報とからなる認証用データを作成し、前記認証用データの控えを印刷して渡航者に発行するとともに、前記認証用データを前記査証発行端末に送信する第１のステップと、
前記査証発行端末は、前記認証用データを受信すると、それを前記バイオメトリクス認証サーバに送信して渡航者の認証を依頼する第２のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合するとともに、犯罪者や要注意人物の認証用データからなるブラックリストデータベースのバイオメトリクス情報すべてとも照合を行い、照合の認証結果を前記査証発行端末に送信する第３のステップと、
前記査証発行端末は、前記認証結果を踏まえて査証の発行の可否判断を行い、可否結果と発行した査証とを前記査証申請端末に送信する第４のステップと、
前記査証発行端末は、査証の発行を行った場合に前記査証申請管理データベースに渡航者のバイオメトリクス情報が未登録であると、前記バイオメトリクス認証サーバに前記認証データの登録を要求する第５のステップと、
前記バイオメトリクス認証サーバは、前記査証発行端末からの前記認証データの登録の要求を受けると、前記認証データを前記査証申請管理データベースに登録する第６のステップと、
前記査証申請端末は、前記査証発行端末からの査証の発行の可否結果と発行時の査証を受信すると、渡航者の査証受け取り時に受取人から採取したバイオメトリクス情報から前記認証用データ作成して前記バイオメトリクス認証サーバに送信し認証を依頼する第７のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合し一致不一致の認証結果を前記査証申請端末に送信する第８のステップと、
前記査証申請端末は、前記第８のステップにおける前記バイオメトリクス認証サーバの認証結果を受信すると、認証結果が一致した場合に査証を受取人に発行する第９のステップと、
を備える。
【０００５】
本発明の第２のバイオメトリクス認証サービス方法は、入国管理部署にあって渡航者の入国審査を行う入国審査端末と、渡航者のバイオメトリクス情報を査証申請管理データベースに有しバイオメトリクス情報の照合による認証処理を行うバイオメトリクス認証サーバと、前記入国審査端末と前記バイオメトリクス認証サーバとを通信で接続するネットワークと、を備えたバイオメトリクス認証システムにおけるバイオメトリクス認証サービス方法であって、
前記入国審査端末は、渡航者のパスポートと査証から渡航者の名前を含む渡航者の識別情報を取り出すとともに、渡航者の指紋情報を含むバイオメトリクス情報を採取して渡航者の識別情報とバイオメトリクス情報とから認証用データを生成し、生成した認証用データを前記バイオメトリクス認証サーバに送信する第１のステップと、
前記バイオメトリクス認証サーバは、前記認証用データを受信すると前記認証用データから前記認証用データの一部を使用したキーを作成し、前記査証申請管理データベースをこのキーによって検索し該当するバイオメトリクス情報を取り出し、前記認証用データのバイオメトリクス情報と照合を行い、一致不一致の認証結果を前記入国審査端末に送信する第２のステップと、
前記入国審査端末は、前記バイオメトリクス認証サーバの認証結果から渡航者の入国の可否を判断する第３のステップと、
を備える。
【０００６】
本発明の第３のバイオメトリクス認証サービス方法は、大使館における査証の発行申請の受付と交付を渡航者に行う査証申請端末と、大使館本国の査証発行部署にある査証発行端末と、大使館本国の入国管理部署にあって前記渡航者の入国審査を行う入国審査端末と、前記渡航者のバイオメトリクス情報を査証申請管理データベースに有しバイオメトリクス情報の照合による認証処理を行うバイオメトリクス認証サーバと、前記査証申請端末と前記査証発行端末と前記入国審査端末と前記バイオメトリクス認証サーバとを通信で接続するネットワークと、を備えたバイオメトリクス認証システムにおけるバイオメトリクス認証サービス方法であって、
前記査証申請端末は、前記渡航者の名前、生年月日を含む査証申請情報と前記査証申請端末で採取した前記渡航者の前記バイオメトリクス情報とからなる認証用データを作成し、前記認証用データの控えを印刷して前記渡航者に発行するとともに、前記認証用データを前記査証発行端末に送信する第１のステップと、
前記査証発行端末は、前記認証用データを受信すると、それを前記バイオメトリクス認証サーバに送信して前記渡航者の認証を依頼する第２のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合するとともに、犯罪者や要注意人物の認証用データからなるブラックリストデータベースのバイオメトリクス情報すべてとも照合を行い、照合の結果一致したバイオメトリクス情報を含む認証結果を前記査証発行端末に送信する第３のステップと、
前記査証発行端末は、前記認証結果を踏まえて査証の発行の可否判断を行い、可否結果と発行した査証とを前記査証申請端末に送信する第４のステップと、
前記査証発行端末は、査証の発行を行った場合に前記査証申請管理データベースに前記渡航者のバイオメトリクス情報が未登録であると、前記バイオメトリクス認証サーバに前記認証データの登録を要求する第５のステップと、
前記バイオメトリクス認証サーバは、前記査証発行端末からの前記認証データの登録の要求を受けると、前記認証データを前記査証申請管理データベースに登録する第６のステップと、
前記査証申請端末は、前記査証発行端末からの査証の発行の可否結果と査証を受信すると、前記渡航者の査証受け取り時に受取人から採取したバイオメトリクス情報から前記認証用データ作成して前記バイオメトリクス認証サーバに送信し認証を依頼する第７のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合し一致不一致の認証結果を前記査証申請端末に送信する第８のステップと、
前記査証申請端末は、前記バイオメトリクス認証サーバの認証結果を受信すると、認証結果が一致した場合に査証を前記受取人に発行する第９のステップと、
前記入国審査端末は、前記渡航者のパスポートと査証から前記渡航者の名前を含む前記渡航者の識別情報を取り出すとともに、前記渡航者のバイオメトリクス情報を採取して前記渡航者の識別情報とバイオメトリクス情報とから前記認証用データを生成し、生成した前記認証用データを前記バイオメトリクス認証サーバに送信する第１０のステップと、
前記バイオメトリクス認証サーバは、前記認証用データを受信すると前記認証用データから前記認証用データの一部を使用したキーを作成し、前記査証申請管理データベースをこのキーによって検索し該当するバイオメトリクス情報を取り出し、前記認証用データのバイオメトリクス情報と照合を行い、一致不一致の認証結果を前記入国審査端末に送信する第１１のステップと、
前記入国審査端末は、前記バイオメトリクス認証サーバの前記認証結果から渡航者の入国の可否を判断する第１２のステップと、
を備える。
【０００７】
本発明の第４のバイオメトリクス認証サービス方法は、第１ないし第３の発明において、警察署にあって犯罪者、要注意人物のバイオメトリクス情報を犯罪者データベースとして有する警察署コンピュータと、渡航者のバイオメトリクス情報を査証申請管理データベースとして有しバイオメトリクス情報の照合による認証処理を行うバイオメトリクス認証サーバと、前記警察署コンピュータと前記バイオメトリクス認証サーバとを通信で接続するネットワークと、を備えたバイオメトリクス認証システムにおけるバイオメトリクス認証サービス方法であって、
前記警察署コンピュータは、前記犯罪者データベースにおいて犯罪者の登録や更新や削除が行われると、前記ネットワークを介して逐次更新された犯罪者のバイオメトリクス情報を含む犯罪者情報を前記バイオメトリクス認証サーバに送信するステップと、
前記バイオメトリクス認証サーバでは、それを受信すると前記ブラックリストデータベースに追加や削除によって反映するステップと、
を備える。
【０００８】
本発明の第５のバイオメトリクス認証サービス方法は、第１ないし第３の発明において、地方自治体にあって名前、生年月日、性別を含む住民情報を住民情報データベースとして有する自治体コンピュータと、前記渡航者のバイオメトリクス情報を前記査証申請管理データベースとして有しバイオメトリクス情報の照合による認証処理を行う前記バイオメトリクス認証サーバと、前記自治体コンピュータと前記バイオメトリクス認証サーバとを通信で接続するネットワークと、を備えたバイオメトリクス認証システムにおけるバイオメトリクス認証サービス方法であって、
バイオメトリクス認証サーバは、前記認証用データ中の渡航者の名前や住所を含む情報を前記ネットワークを介して前記自治体コンピュータに送信して渡航者の在不在確認を要求するステップと、
前記自治体コンピュータは前記在不在確認要求を受信すると、前記住民情報データベースを検索して渡航者の在不在を確認し前記バイオメトリクス認証サーバに通知するステップと、
前記自治体コンピュータは、前記渡航者の前記住民情報データベースの登録の確認ができた場合、前記渡航者の死亡、転居、転出が生ずると、逐次その内容を前記バイオメトリクス認証サーバに通知するステップと、
バイオメトリクス認証サーバはその通知内容を前記査証申請管理データベースに反映するステップと、
を備える。
【０００９】
本発明の第６のバイオメトリクス認証サービス方法は、第１ないし第３の発明において、バイオメトリクス認証システムにおけるバイオメトリクス認証サービス方法であって、
複数種類のバイオメトリクス情報を採取して前記認証用データに載せ、前記バイオメトリクス認証サーバに送信するステップと、
前記バイオメトリクス認証サーバは、前記認証用データに含まれるバイオメトリクス種別に対応して用意された全ての前記査証申請管理データベースとの照合を行うステップと、
を備える。
【００１０】
本発明の第７のバイオメトリクス認証サービス方法は、第１ないし第５の発明において、前記バイオメトリクス情報は、指紋、掌紋、顔画像、虹彩、声紋、サインを備える。
【００１１】
本発明の第８のバイオメトリクス認証サービス方法は、指紋の入力のためのユーザインターフェース部を有する自動販売機の自動販売機端末と、自動販売機で商品を購入する消費者の指紋情報を予め登録した指紋データベースを備えたバイオメトリクス認証サーバと、前記決済コンピュータと前記自動販売機端末と前記バイオメトリクス認証サーバとを通信で接続するネットワークと、
を備えたバイオメトリクス認証システムにおけるバイオメトリクス認証サービス方法であって、
前記自動販売機端末は、消費者が入力したクレジットカードＩＤと指紋情報とから認証用データを生成し前記決済コンピュータに前記ネットワークによって送信する第１のステップと、
前記決済コンピュータは、受信した前記認証用データを前記バイオメトリクス認証局に送信する第２のステップと、
前記バイオメトリクス認証サーバは、前記認証データのクレジットカードＩＤをキーとして前記指紋データベースを検索し、検索した指紋情報と前記認証データの指紋情報の照合を行い、一致不一致の認証結果を前記決済コンピュータに送信する第３のステップと、
前記決済コンピュータは、前記認証結果をもとに、消費者の購入操作の可否を前記自動販売機端末に送信する第４のステップと、
前記自動販売機端末は、購入操作の可否情報に従って消費者による購入操作を制御し、購入可の場合には、消費者の選択した購入対象の商品情報を前記決済コンピュータに送信する第５のステップと、
前記決済コンピュータは、消費者の選択した商品の決済処理を行う第６のステップと、
を備える。
【００１２】
本発明の第９のバイオメトリクス認証サービス方法は、第８の発明において、前記バイオメトリクス認証サーバは、クレジットカードＩＤをキーとして前記指紋データベースの指紋情報を検索するステップを、
備える。
【００１３】
本発明の第１のバイオメトリクス認証システムは、大使館における査証の発行申請の受付と交付を行い渡航者の名前、生年月日を含む査証申請情報と採取した渡航者のバイオメトリクス情報とからなる認証用データを作成し査証発行部署に送信する査証申請端末と、
大使館本国の査証発行部署にあって前記査証申請端末から前記認証用データを受信すると、それをバイオメトリクス情報による認証を行うバイオメトリクス認証局に送信して渡航者の認証を依頼し依頼した認証の結果に従って査証の発行可否を決定して前記査証申請端末に通知する査証発行端末と、
バイオメトリクス認証局にあって渡航者のバイオメトリクス情報を査証申請管理データベースとして有し前記査証発行端末から前記認証用データを受信すると、
前記認証用データの一部を使用したキーによって前記査証申請管理データベースを検索し前記認証用データのバイオメトリクス情報と照合するとともに、犯罪者や要注意人物の認証用データからなるブラックリストデータベースのバイオメトリクス情報すべてとも照合を行い、照合の認証結果を前記査証発行端末に送信するバイオメトリクス認証サーバと、
前記査証申請端末と前記査証発行端末と前記バイオメトリクス認証サーバとを通信で接続するネットワークと、
を備える。
【００１４】
本発明の第２のバイオメトリクス認証システムは、第１の発明において、前記査証発行端末は、査証の発行を行った場合に前記査証申請管理データベースに渡航者のバイオメトリクス情報が未登録であると、前記バイオメトリクス認証サーバに前記認証データの登録を要求し、
前記バイオメトリクス認証サーバは、前記査証発行端末からの前記認証データの登録の要求を受けると、前記認証データを前記査証申請管理データベースに登録することを備える。
【００１５】
本発明の第３のバイオメトリクス認証システムは、第１の発明において、前記査証申請端末は、前記査証発行端末からの査証の発行の可否結果と査証を受信すると、前記渡航者の査証受け取り時に受取人から採取したバイオメトリクス情報から前記認証用データ作成して前記バイオメトリクス認証サーバに送信して認証を依頼し、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合し一致不一致の認証結果を前記査証申請端末に送信するとともに、
前記査証申請端末は、前記バイオメトリクス認証サーバの認証結果を受信すると、認証結果が一致した場合に査証を前記受取人に発行することを備える。
【００１６】
本発明の第１のバイオメトリクス認証プログラムは、大使館における査証の発行申請の受付と交付を行う査証申請端末と、大使館本国の査証発行部署にある査証発行端末と、渡航者のバイオメトリクス情報を査証申請管理データベースとして有しバイオメトリクス情報の照合による認証処理を行うバイオメトリクス認証サーバと、前記査証申請端末と前記査証発行端末と前記バイオメトリクス認証サーバとを通信で接続するネットワークと、を備えたバイオメトリクス認証システムを構成するコンピュータに実行させるプログラムであって、
前記査証申請端末は、渡航者の名前、生年月日を含む査証申請情報と前記査証申請端末で採取した渡航者の前記バイオメトリクス情報とからなる認証用データを作成し、前記認証用データの控えを印刷して渡航者に発行するとともに、前記認証用データを前記査証発行端末に送信する第１のステップと、
前記査証発行端末は、前記認証用データを受信すると、それを前記バイオメトリクス認証サーバに送信して渡航者の認証を依頼する第２のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合するとともに、犯罪者や要注意人物の認証用データからなるブラックリストデータベースのバイオメトリクス情報すべてとも照合を行い、照合の認証結果を前記査証発行端末に送信する第３のステップと、
前記査証発行端末は、前記認証結果を踏まえて査証の発行の可否判断を行い、可否結果と発行した査証とを前記査証申請端末に送信する第４のステップと、
前記査証発行端末は、査証の発行を行った場合に前記査証申請管理データベースに渡航者のバイオメトリクス情報が未登録であると、前記バイオメトリクス認証サーバに前記認証データの登録を要求する第５のステップと、
前記バイオメトリクス認証サーバは、前記査証発行端末からの前記認証データの登録の要求を受けると、前記認証データを前記査証申請管理データベースに登録する第６のステップと、
前記査証申請端末は、前記査証発行端末からの査証の発行の可否結果と発行時の査証を受信すると、渡航者の査証受け取り時に受取人から採取したバイオメトリクス情報から前記認証用データ作成して前記バイオメトリクス認証サーバに送信し認証を依頼する第７のステップと、
前記バイオメトリクス認証サーバは、前記査証発行端末から前記認証用データを受信すると、前記認証用データの一部を使用したキーによって前記査証申請管理データベースを検索し前記認証用データのバイオメトリクス情報と照合し一致不一致の認証結果を前記査証申請端末に送信する第８のステップと、
前記査証申請端末は、前記第８のステップにおける前記バイオメトリクス認証サーバの認証結果を受信すると、認証結果が一致した場合に査証を受取人に発行する第９のステップと、
を備える。
【００１７】
【発明の実施の形態】
最初に本発明の概要を図７を参照して簡単に説明すると、個人の指紋や顔画像等のバイオメトリクス情報を一括して管理するインターネットを含むネットワークで接続されたバイオメトリクス認証局があって、警察署での運転免許証の発行時、デパート等でのＳｈｏｐｐｉｎｇ時、クレジット会社でのクレジットカードの発行時、渡航希望者への査証発行時、渡航者の入国審査時、等の各局面において、各部署において利用者から採取した指紋、顔画像、等のバイオメトリクス情報をバイオメトリクス認証局にネットワークを使用して送信して正しく本人であるかを確認し、利用する資格の有無をチェックする内容を有している。
【００１８】
本発明の第１の実施例は、査証発行認証サービスに関するものである。
【００１９】
図１を使用して最初に第１の実施例の構成を説明する。
【００２０】
図１によれば、第１の実施例の構成は、外国の大使館／領事館における外国旅行希望者である渡航者（以降、渡航希望者も渡航者と略す。）に対して、査証（ビザ）の発行申請の受付と有資格者と判断された渡航者への査証の交付を行う部署にあるパーソナルコンピュータ等の査証申請端末２０と、
大使館本国の査証発行部署にあるパーソナルコンピュータ等の査証発行端末３０と、
バイオメトリクス認証局にあって、渡航者の指紋等のバイオメトリクス情報をデータベースとして有し、バイオメトリクス情報による認証処理を行う高性能コンピュータからなるバイオメトリクス認証サーバ１０と、
査証申請端末２０と査証発行端末３０とバイオメトリクス認証サーバ１０とを接続する専用線やインターネットを含むネットワーク１００と、を備える。
【００２１】
査証申請端末２０は、渡航者の指紋、掌紋、顔、虹彩、声紋、サイン等のバイオメトリクス情報を入力する装置を接続し、当該装置から採取した渡航者のバイオメトリクス情報を直接受け取り、渡航者の名前等とともに認証用データとしてまとめることができる。
【００２２】
査証申請端末２０、および査証発行端末３０は、バイオメトリクス認証サーバ１０から送信されたバイオメトリクス情報を含む認証結果を画面に表示することで、バイオメトリクス認証サーバ１０による認証結果を査証の発行の受付や発行を行う担当者が確認できるだけでなく、バイオメトリクス認証サーバ１０に保存されている情報（指紋イメージや記述情報）を指定して参照することが可能である。
【００２３】
バイオメトリクス認証サーバ１０には、査証申請した人の認証用データ（指紋、掌紋、顔、虹彩、声紋、サイン等や検索用の情報をを含む）を保存した査証申請管理データベース１２と、犯罪者や要注意人物の認証用データを保存したブラックリストデータベース１４と、が存在する。
【００２４】
尚、バイオメトリクス認証サーバ１０は、１種類以上のバイオメトリクス情報に対応するデータベースを有していて、例えば指紋画像と顔画像とサイン画像を格納するデータベースをそれぞれ有するものであり、バイオメトリクス情報の照合時、受け付けた認証用データにバイオメトリクス情報が１種類以上あれば、それぞれに合致するデータベースが選択されて１種類以上の照合が行われる。
【００２５】
さらに、個々のバイオメトリクス情報には、それを識別するためのコード情報として査証申請情報の内容である申請者の名前、生年月日、性別等が索引キーとして付加されて登録がおこなわれている。
【００２６】
さらに、バイオメトリクス認証サーバ１０は、渡航者の母国と同じ国にあると想定するが、それにとらわれるものではなく、複数の国に分散し、それぞれが他のバイオメトリクス認証サーバ１０と必要に応じて情報の交換を行うバイオメトリクス認証サーバ１０の全体を想定することもできる。
【００２７】
さらに、査証申請管理データベース１２の内容は、地方自治体の持つ自治体コンピュータ９０によって管理される住民についての住民情報データベースとネットワーク１００によって連携して逐次更新が行われる。例えば、査証申請管理データベース１２に登録された渡航者が死亡したり、転出したりした転居したりした場合、死亡、転出、転居通知を自治体コンピュータ９０がら受け、査証申請管理データベース１２に反映することができる。
【００２８】
さらに、警察署の犯罪者に関する最新の情報を格納した警察署コンピュータ８０の犯罪者データベースからネットワーク１００を介して逐次最新の犯罪者の顔写真や指紋情報が犯罪者情報としてバイオメトリクス認証サーバ１０に送信されるので、バイオメトリクス認証サーバ１０では、それを受信しブラックリストデータベース１４に反映するようにしている。
【００２９】
これは、逆にこれまで犯罪者であった者が刑期を終えて犯罪者で無くなった時にも通知がなされ、この場合にはブラックリストデータベース１４から当該する犯罪者の情報は削除される。
【００３０】
次に、本発明の査証発行認証サービスの実施例の動作について、図２のフローチャートを参照して詳細に説明する。
【００３１】
外国大使館／領事館の査証受付担当者は、渡航者からの名前、住所、生年月日、性別等の必要な事項を記入した査証申請用紙を受け付けると、これを査証申請情報として査証申請端末２０に登録する（ステップＡ１）。次に、査証申請端末２０は、渡航者のバイオメトリクス情報を査証申請端末２０に接続したバイオメトリクスの入力装置を利用して採取し、査証申請情報と併せて認証用データを用意する（ステップＡ２）。
【００３２】
バイオメトリクス情報の採取は、査証申請端末２０に接続された、例えば、指紋を入力する指紋入力装置、渡航者の手書きのサインを入力するスキャナ、また、顔画像を採取するためのカメラ、ビデオなどの装置で行い、査証申請情報と採取したバイオメトリクス情報とは査証申請端末２０によって認証用データとしてまとめられる（ステップＡ３）。
【００３３】
また、認証用データに複数種類のバイオメトリクス情報を載せることも可能であり、例えば、査証申請端末２０では渡航者の指紋情報の採取時に、カメラで渡航者の顔画像を採取するとともに、査証申請の用紙から渡航者の名前等のサイン情報も画像情報として採取し、これらの３種類のバイオメトリクス情報を認証用データとしてまとめることもできる。
【００３４】
認証用データがまとめられると、査証申請端末２０は、申請書の控えをプリンタに印刷して発行する（ステップＡ４）ので、渡航者はこれを受け取る。
【００３５】
次に、査証申請端末２０は、認証用データを本国の査証発行局にある査証発行端末３０にネットワーク１００を経由して送信する（ステップＡ５）。
【００３６】
査証発行端末３０が受け取った認証用データは、次に査証発行端末３０からバイオメトリクス認証サーバ１０に送信されて、認証依頼が行われる（ステップＡ６）。
【００３７】
バイオメトリクス認証サーバ１０は、受け取った認証用データを元に認証用データにある、例えば渡航者の名前や生年月日や性別等を１つあるいは複合してキーにして査証申請管理データベース１２を検索し、渡航者の認証用データのバイオメトリクス情報と照合して一致か不一致かの判定を行う。
【００３８】
また、バイオメトリクス情報の照合処理をブラックリストデータベース１４についても行う。ブラックリストデータベース１４との照合処理は、ブラックリストデータベース１４のバイオメトリクス情報全てが照合の対象となる（ステップＡ７）。
【００３９】
さらに、バイオメトリクス認証サーバ１０は、認証用データ中の渡航者の住所情報から該当する自治体の住民情報データベースを有する自治体コンピュータ９０にネットワーク１００を介して接続し、渡航者の名前や住所等の情報を送信して在不在の所在確認を行う。自治体コンピュータ９０は住民情報データベースを検索して在不在を通知する。尚、このとき当該渡航者が当該自治体の住民であることが確認ができた場合、その後、自治体コンピュータ９０は、当該渡航者の死亡、転居、転出等が生ずると、逐次その内容をバイオメトリクス認証サーバ１０に通知し、バイオメトリクス認証サーバ１０ではその内容をデータベースに反映するようにしてもよい。
【００４０】
バイオメトリクス認証サーバ１０は、査証発行端末３０にそれぞれのデータベースとの認証結果と渡航者の所在確認の結果を通知する（ステップＡ８）。尚、認証結果には、バイオメトリクス認証サーバ１０が照合の結果、一致したバイオメトリクス情報があればそのバイオメトリクス情報と一致不一致の結果を２つのデータベースそれぞれについて添付して認証結果とする。
【００４１】
査証発行端末３０は、バイオメトリクス認証サーバ１０からの認証結果を確認する。
【００４２】
例えば、本国の査証発行局の査証発行担当者は、渡航者の認証用データのバイオメトリクス情報と、バイオメトリクス認証サーバ３０が照合を行ったデータベースのバイオメトリクス情報と、を査証発行端末３０の同じ画面上に表示して目視によって比較することで査証発行の可否についての再確認を行うこともできる（ステップＡ９）。尚、声紋の場合は聴くことで確認をする。
【００４３】
また、査証発行端末３０は、査証申請管理データベース１２の照合結果は一致し、ブラックリストデータベース１４との照合結果は一致するものが無いとき、必要なら目視等の結果を踏まえて査証の発行可否を決定することになる。
【００４４】
また、渡航者のバイオメトリクス情報が、いずれのデータベースにも未登録の場合は、従来の処理による査証の発行処理を行う。渡航者のバイオメトリクス情報が、ブラックリストデータベース１４に登録されている場合は、査証の発行は行われない。
【００４５】
以上のように、査証発行端末３０は、渡航者への査証発行の可否を決定する（ステップＡ１０）。
【００４６】
査証発行端末３０は、申請された査証の発行可否の結果と発行可の場合には査証とを、査証申請端末２０に通知する（ステップＡ１１）。
【００４７】
査証発行端末３０は、査証発行の可否結果を、バイオメトリクス認証サーバ１０にも通知し、査証申請が認められてバイオメトリクス認証サーバ１０に渡航者のバイオメトリクス情報が未登録の場合、渡航者の認証データの査証申請管理データベース１２への登録を要求する（ステップＡ１２）。
【００４８】
バイオメトリクス認証サーバ１０ではこの要求を受けて、渡航者の認証データのバイオメトリクス情報を渡航者の例えば名前、生年月日等を１つあるいは複合して索引キーにして査証申請管理データベース１２に登録し保存管理する（ステップＡ１３）。このとき査証申請情報の必要な部分も登録してもよい。
【００４９】
渡航者が大使館／領事館に控えを持参して来館し、発行申請した査証を受け取りに来た際には、受け取り人が、正当な渡航者であるかを確認するため、受け取り人からバイオメトリクス情報を採取し、査証申請端末２０に認証データを作成し、本人確認のための認証要求を査証申請端末２０からバイオメトリクス認証サーバ１０に送信し認証を依頼する（ステップＡ１４）。
【００５０】
バイオメトリクス認証サーバ１０では、受信した認証データと査証申請管理データベース１２にある同じ査証番号を持つ認証データとを照合して認証結果を査証申請端末２０に通知する（ステップＡ１５）。
査証申請端末２０で同一人物であると確認できた場合に査証を申請者に発行する（ステップＡ１６）。
【００５１】
次に本発明の第２の実施例の入国審査認証サービスについて詳細に説明する。
【００５２】
最初に本実施例の構成について、図３を元に説明する。尚、ここでは、上述した第１の実施例と同様に機能する部分についての詳細な説明は省略する。
【００５３】
入国管理部署には入国審査端末４０があり、バイオメトリクス認証サーバ１０と専用線やインターネットを含むネットワーク１００にて接続されている。バイオメトリクス認証サーバ１０は、第１の実施例と同等の内容であり、査証申請管理データベース１２とブラックリストデータベース１４も第１の実施例と同じ内容が登録されていて、第１の実施例で作成されたデータベースの内容が第２の実施例でも使用されても構わないものとする。
【００５４】
入国審査端末４０は、入国を行おうとする海外渡航者の指紋、掌紋、顔、虹彩、声紋、サイン等のバイオメトリクス情報を、入国審査端末４０に接続されたバイオメトリクス情報の入力装置から採取して直接受け取り、かつ、パスポートや査証の名前や生年月日や性別等の渡航者の認証に関連する部分を入国審査端末４０に接続されたスキャナー等で入力して、必要な個所のコード化を行って、全体を認証用データとしてまとめる。
【００５５】
バイオメトリクス情報の採取は、入国審査端末４０に接続された指紋を入力する指紋入力装置、スキャナ、また、顔画像を採取するためのカメラ、ビデオなどの装置で行う。
【００５６】
入国審査端末４０は、バイオメトリクス認証サーバ１０からの認証結果を画面に表示し確認できるだけでなくバイオメトリクス認証サーバ１０に保存されている情報（指紋イメージや記述情報）を指定して参照することが可能である。
バイオメトリクス認証サーバ１０には、渡航者の認証用データ（指紋、掌紋、顔、虹彩、声紋、サイン）を保存した査証申請管理データベース１２と犯罪者や要注意人物の認証データを保存したブラックリストデータベース１４が存在する。
【００５７】
次に本実施例の動作について図４のフローチャートを元に説明する。
【００５８】
入国審査官は入国をしようとする渡航者からパスポートと査証を受け取ると、入国審査端末４０のスキャナ等から入国審査に関係する渡航者を識別し認証するための部分を入力する。尚、この渡航者は、第１の実施例において査証の発行を受けているものとする。
【００５９】
入国審査端末４０は、入力情報から文字判別機能によって渡航者の名前、生年月日、性別、住所、パスポート番号、査証番号等のコード化を行う（ステップＢ１）。
【００６０】
次に、入国審査官は渡航者のバイオメトリクス情報を入国入国審査端末４０に接続した入力装置から入力すると、入国審査端末４０は、コード化された情報と併せて認証用データを生成する（ステップＢ２）。
【００６１】
尚、入国手続き中に、入国審査端末４０は、渡航者の顔画像をカメラで自動的に撮像し、顔画像は、入力された渡航者の例えば指紋情報とともに複数のバイオメトリクス情報を含む認証用データとすることもできる。
【００６２】
入国審査端末４０は、認証データをバイオメトリクス認証サーバ１０にネットワーク１００を経由して送信し渡航者の認証依頼を行う（ステップＢ３）。
【００６３】
尚、入国管理担当者が必要と判断したならば犯罪履歴などブラックリストデータベース１４との照合の要求もバイオメトリクス認証サーバ１０に行うことができる。
【００６４】
バイオメトリクス認証サーバ１０は、受け取った認証用データを元に、例えば名前や生年月日等を１つあるいは複合して索引キーとして査証申請管理データベース１２と照合を行い（ステップＢ４）、入国審査端末４０に認証結果を通知する（ステップＢ５）。
【００６５】
尚、入国審査端末４０から要求があった場合には、バイオメトリクス認証サーバ１０は、ブラックリストデータベース１４の全てのバイオメトリクス情報と入国者のそれと照合を行い、入国審査端末４０に認証結果を通知する。
【００６６】
入国審査官は入国審査端末４０にて認証結果を確認し、入国者の入国申請可否を決定する（ステップＢ６）。
【００６７】
入国審査官は、入国審査端末４０で、入国者から採取した認証用データとバイオメトリクス認証サーバ１０に保存・管理されているバイオメトリクス情報を同じ画面上で比較確認することができる。
【００６８】
次に本発明の第３の実施例の自動販売機個人認証サービスについて説明する。
【００６９】
第３の実施例の構成を図５に示す。
【００７０】
本実施例は、自動販売機があってその自動販売機の指紋等の入力のためのユーザインターフェース部を構成する自動販売機端末５０と、消費者の指紋情報を予め登録したデータベースを備えたバイオメトリクス認証サーバ１０と、クレジットカード会社の決済コンピュータ６０と、自動販売機端末５０とバイオメトリクス認証サーバ１０と決済コンピュータ６０とを接続する専用線やインターネットを含むネットワーク１００と、から構成されている。
【００７１】
自動販売機端末５０は、消費者のクレジットカードを識別するクレジットカードＩＤの入力および消費者の指紋情報を入力することができ、入力されたデータを認証用データとしてまとめることができる。
【００７２】
バイオメトリクス認証サーバ１０には、クレジットカード会社とカード契約した消費者の指紋データを契約時に採取して蓄積保存した指紋データベース１８が存在する。
【００７３】
尚、本実施例で説明する自動販売機は、クレジットカードＩＤや指紋の入力を行わず、現金によっても商品の購入が可能である。
【００７４】
次に本実施例の動作について図６のフローチャートを参照して説明する。
【００７５】
消費者が自動販売機を利用して商品を購入する際、自動販売機端末５０から消費者のクレジットカードのクレジットカードＩＤと消費者の指紋を入力すると、自動販売機端末５０は、これを認証用データとしてまとめる（ステップＣ１）。
【００７６】
次に、自動販売機端末５０は、ネットワーク１００を通して、クレジットカード会社の決済コンピュータ６０に認証用データを送信する（ステップＣ２）。
決済コンピュータ６０は、バイオメトリクス認証サーバ１０に認証用データを送信し、個人認証依頼を行う（ステップＣ３）。
【００７７】
バイオメトリクス認証サーバ１０は、受け取った個人認証データのクレジットカードＩＤをキーとして指紋データベース１８に登録されている指紋を検索し、該当する指紋情報を取り出し、決済コンピュータ６０から送信された指紋情報と照合を行い、一致不一致を確認して認証を行う（ステップＣ４）。続いて認証結果を決済コンピュータ６０に送信する（ステップＣ５）。
【００７８】
決済コンピュータ６０は、指紋の照合による認証結果を元に商品購入の受付可否の情報を自動販売機端末５０に送信する（ステップＣ６）。
【００７９】
自動販売機端末５０では、認証結果の判定をし（ステップＣ７）、指紋が一致して商品購入可との情報を受けた場合には、消費者から商品を選択して購入することを可能とし（ステップＣ８）、認証結果が不一致で商品購入不可との情報を受けた場合には、クレジットカードＩＤと指紋の再入力等の指示を自動販売機端末５０の操作画面に表示して消費者に通知する（ステップＣ９）。
【００８０】
消費者が、自動販売機端末５０で商品を選択し購入操作をすると、購入操作の対象とした商品情報は、自動販売機端末５０から決済コンピュータ６０に送信される（ステップＣ１０）。　クレジットカード会社の決済コンピュータ６０では、消費者の金融口座から購入対象商品の金額等の引き落としを行い、商品情報に基づいた決済処理を行う（ステップＣ１１）。
【００８１】
【発明の効果】
本発明の査証発行認証サービスにおいては、
渡航者から採取した指紋等のバイオメトリクス情報によって申請者の確認を行うため、不正な申請者への査証の二重発行防止が可能であるという効果がある。
【００８２】
さらに、犯罪者、要注意人物のバイオメトリクス情報に対する認証を行うことにより犯罪者、要注意人物の検出が可能であるという効果がある。。
【００８３】
本発明の入国審査認証サービスにおいては、
入国審査においてもバイオメトリクスにより渡航者の確認をするため、不法入国の防止効果が図れるという効果がある。
【００８４】
本発明の自動販売機個人認証サービスにおいては、
消費者は、現金やクレジットカードの携帯をすることなく、自動販売機から商品の購入を確実に行うことが可能であるという効果がある。
【図面の簡単な説明】
【図１】第１の実施例の査証発行に伴う認証サービスの構成を説明するブロック図である。
【図２】第１の実施例の査証発行に伴う認証サービスの動作を説明するフローチャートである。
【図３】第２の実施例の入国審査に伴う認証サービスの構成を説明するブロック図である。
【図４】第２の実施例の入国審査に伴う認証サービスの動作を説明するフローチャートである。
【図５】第３の実施例の自動販売機個人認証サービスの構成を説明するブロック図である。
【図６】第３の実施例の自動販売機個人認証サービスの動作を説明するフローチャートである。
【図７】本発明のバイオメトリクス認証局の利用される各局面を表した説明図である。
【符号の説明】
１０　　バイオメトリクス認証サーバ
１２　　査証申請管理データベース
１４　　ブラックリストデータベース
１８　　指紋データベース
２０　　査証申請端末
３０　　査証発行端末
４０　　入国審査端末
５０　　自動販売機端末
６０　　決済コンピュータ
８０　　警察署コンピュータ
９０　　自治体コンピュータ
１００　　ネットワーク
【図１】
2004030334.tif 000003
【図２】
2004030334.tif 000004
【図３】
2004030334.tif 000005
【図４】
2004030334.tif 000006
【図５】
2004030334.tif 000007
【図６】
2004030334.tif 000008
【図７】
2004030334.tif 000009